(57)【要約】【課題】簡単かつ低コストな構造でありながら、内容物を収容したリフィル体を簡便に交換可能とする。【解決手段】本発明の詰め替えセット１は、内側が収容部７とされた容器本体４と、容器本体４の固定手段８により着脱自在に固定されるリフィル体２と、リフィル体２を上方から閉鎖する容器蓋５とを有する容器３に対して、リフィル体２を詰め替える際に用いるものであり、詰め替えセット１は新品リフィル体２Ｎとリフィル蓋６とを有しており、リフィル蓋６は、新品リフィル体２Ｎの新品内容物を上方から閉塞する閉塞部２９と、固定手段８により容器本体４に対して固定されたリフィル体２を、固定状態から取り外し可能な遊離状態に切り替える取り外し手段９と、遊離状態に切り替えられたリフィル体２をリフィル蓋６と共に収容部７から引き抜くために、リフィル体２をリフィル蓋６に一体化させる一体化手段１０と、を備えている。【選択図】図１
2019189327.tif 000002
【特許請求の範囲】
【請求項１】
内側が収容部とされた容器本体と、前記容器本体に設けられた固定手段により前記容器本体の収容部に着脱自在に固定されるリフィル体と、前記容器本体に取り付けられて前記リフィル体を上方から閉鎖する容器蓋とを有する容器に対して、前記リフィル体を新品リフィル体に詰め替える際に用いる詰め替えセットであって、
前記詰め替えセットは、前記収容部に新たに詰め替えられる新品リフィル体と、前記新品リフィル体を閉塞可能とされたリフィル蓋と、を有しており、
前記リフィル蓋は、
前記新品リフィル体の新品内容物を上方から閉塞する閉塞部と、
前記固定手段により容器本体に対して固定されたリフィル体を、固定状態から取り外し可能な遊離状態に切り替える取り外し手段と、
前記遊離状態に切り替えられたリフィル体を前記リフィル蓋と共に前記収容部から引き抜くために、前記リフィル体をリフィル蓋に一体化させる一体化手段と、
を備えている
ことを特徴とする詰め替えセット。
【請求項２】
前記固定手段は、前記新品リフィル体に設けられた係合舌部を容器本体側に係合させることで容器本体に対して前記新品リフィル体を固定する構成とされており、
前記リフィル体の取り外し手段は、前記容器本体側に対する係合舌部の係合を解除することで、前記容器本体に対して固定されたリフィル体を固定状態から取り外し可能な状態に切り替える解除片をリフィル蓋に有している
ことを特徴とする請求項１に記載の詰め替えセット。
【請求項３】
前記リフィル蓋は、前記リフィル体に回動可能に取り付け可能とされており、
前記取り外し手段の解除片は、前記新品リフィル体に対するリフィル蓋の回動を利用して、前記係合舌部を係合方向とは反対方向に押し戻して係合を解除する構成とされている
ことを特徴とする請求項２に記載の詰め替えセット。
【請求項４】
前記固定手段は、前記リフィル体または新品リフィル体の外周面に形成された前記係合舌部を径方向に変形させ、前記容器本体の内周面に形成された係合突起に対して係合舌部を噛み合わせることで、前記リフィル体または新品リフィル体を容器本体に対して係合する構成とされており、
前記取り外し手段は、前記係合の時とは径方向の反対方向に向かって係合舌部を押し戻す解除片を、前記閉塞部の下面に備えている
ことを特徴とする請求項３に記載の詰め替えセット。
【請求項５】
前記固定手段は、前記リフィル体または新品リフィル体の底面に形成された前記係合舌部を、前記容器本体の底部の係合孔に対して上方から挿し込んだ上で、さらに径方向に変形させることで、前記リフィル体または新品リフィル体を前記容器本体に対して係合する構成とされており、
前記取り外し手段は、前記係合孔に対して下方から挿し込まれた上で、さらに前記係合の時とは径方向の反対方向に向かって係合舌部を押し戻す解除片を、前記閉塞部の上面に備えている
ことを特徴とする請求項３に記載の詰め替えセット。
【請求項６】
前記リフィル蓋の一体化手段は、
前記リフィル体側に形成された第１ねじ部と、
前記リフィル蓋に形成されると共に、前記第１ねじ部に螺合可能な第２ねじ部と、
を有していることを特徴とする請求項１〜５のいずれかに記載の詰め替えセット。
【請求項７】
請求項１〜４のいずれかに記載された詰め替えセットで詰め替えられるリフィル体と、前記リフィル体を収容する収容部を有する容器本体と、前記容器本体に取り付けられて前記リフィル体を上方から閉鎖する容器蓋と、を有する
ことを特徴とする容器。
【発明の詳細な説明】
【技術分野】
【０００１】
本発明は、容器内に収容されたリフィル体を簡易に新品リフィル体に詰め替えることができる詰め替えセットに関するものである。
【背景技術】
【０００２】
従来より、収容部に収容された内容物を詰め替え可能な容器が知られている。このような詰め替え可能な容器には、内容物をチューブやボトルなどの詰め替え容器に入れておき、内容物が減ったら詰め替え容器から内容物を補充するものが知られている。このような容器は、内容物の詰め替えの際に内容物が溢れたり手に付くなどする可能性があり、利便性があまり良くないものとなっていた。
【０００３】
そこで、内容物を予め充填したリフィル体を、容器に直接着脱できるようにして、内容物の交換を簡便に行えるようにした容器が開発されている。
例えば、特許文献１には、有底筒状の内容物収容部を備えるレフィル用の内容器と、有底筒状の内容物収容部を備える外容器とを備える二重容器において、前記内容器に螺着することで前記内容物収容部の開口部を閉鎖可能な内容器キャップを備え、前記内容器と前記外容器との間には、前記内容物収容部を前記内容器収容部内へ挿入したとき互いに乗り越え嵌合することで前記内容物収容部の抜け出しを妨げる嵌合部が設けられており、前記内容器の交換に際し、前記内容器キャップを前記外容器に嵌合している前記内容器に螺着させると、該螺着に伴い前記内容器が上方へ移動して前記嵌合が外れることを特徴とする二重容器が開示されている。
【先行技術文献】
【特許文献】
【０００４】
【特許文献１】特開２０１６−２１０４３３号公報
【発明の概要】
【発明が解決しようとする課題】
【０００５】
ところで、特許文献１の二重容器では、内容器キャップと外容器キャップとの２つのキャップが採用されており、それぞれのキャップが外容器の外周面の上側に螺合する構成となっている。つまり、内外２種類のキャップを螺合させるために、特許文献１の二重容器では、一つの容器にねじ部を複数箇所設ける必要があった。このような構造であると、容器の構造が複雑となるばかりか、それぞれの部材の加工コストも大きなものとなり好ましくはない。
【０００６】
本発明は、上述の問題に鑑みてなされたものであり、構造が簡単で、加工コストも安価なものでありながら、内容物を収容したリフィル体を簡便に交換可能な詰め替えセット及び容器を提供することを目的とする。
【課題を解決するための手段】
【０００７】
上記課題を解決するため、本発明の詰め替えセット及び容器は以下の技術的手段を講じている。
即ち、本発明の詰め替えセットは、内側が収容部とされた容器本体と、前記容器本体に設けられた固定手段により前記容器本体の収容部に着脱自在に固定されるリフィル体と、前記容器本体に取り付けられて前記リフィル体を上方から閉鎖する容器蓋とを有する容器に対して、前記リフィル体を新品リフィル体に詰め替える際に用いる詰め替えセットであって、前記詰め替えセットは、前記収容部に新たに詰め替えられる新品リフィル体と、前記新品リフィル体を閉塞可能とされたリフィル蓋と、を有しており、前記リフィル蓋は、前記新品リフィル体の新品内容物を上方から閉塞する閉塞部と、前記固定手段により容器本体に対して固定されたリフィル体を、固定状態から取り外し可能な遊離状態に切り替える取り外し手段と、前記遊離状態に切り替えられたリフィル体を前記リフィル蓋と共に前記収容部から引き抜くために、前記リフィル体をリフィル蓋に一体化させる一体化手段と、を備えていることを特徴とする。
【０００８】
なお、好ましくは、前記固定手段は、前記新品リフィル体に設けられた係合舌部を容器本体側に係合させることで容器本体に対して前記新品リフィル体を固定する構成とされており、前記リフィル体の取り外し手段は、前記容器本体側に対する係合舌部の係合を解除することで、前記容器本体に対して固定されたリフィル体を固定状態から取り外し可能な状態に切り替える解除片をリフィル蓋に有しているとよい。
【０００９】
なお、好ましくは、前記リフィル蓋は、前記リフィル体に回動可能に取り付け可能とされており、前記取り外し手段の解除片は、前記新品リフィル体に対するリフィル蓋の回動を利用して、前記係合舌部を係合方向とは反対方向に押し戻して係合を解除する構成とされているとよい。
なお、好ましくは、前記固定手段は、前記リフィル体または新品リフィル体の外周面に形成された前記係合舌部を径方向に変形させ、前記容器本体の内周面に形成された係合突起に対して係合舌部を噛み合わせることで、前記リフィル体または新品リフィル体を容器本体に対して係合する構成とされており、前記取り外し手段は、前記係合の時とは径方向の反対方向に向かって係合舌部を押し戻す解除片を、前記閉塞部の下面に備えているとよい。
【００１０】
なお、好ましくは、前記固定手段は、前記リフィル体または新品リフィル体の底面に形成された前記係合舌部を、前記容器本体の底部の係合孔に対して上方から挿し込んだ上で、さらに径方向に変形させることで、前記リフィル体または新品リフィル体を前記容器本体に対して係合する構成とされており、前記取り外し手段は、前記係合孔に対して下方から挿し込まれた上で、さらに前記係合の時とは径方向の反対方向に向かって係合舌部を押し戻す解除片を、前記閉塞部の上面に備えているとよい。
【００１１】
なお、好ましくは、前記リフィル蓋の一体化手段は、前記リフィル体側に形成された第１ねじ部と、前記リフィル蓋に形成されると共に、前記第１ねじ部に螺合可能な第２ねじ部と、を有しているとよい。
また、本発明の容器は、上記した詰め替えセットで詰め替えられるリフィル体と、前記リフィル体を収容する収容部を有する容器本体と、前記容器本体に取り付けられて前記リフィル体を上方から閉鎖する容器蓋と、を有することを特徴とする。
【発明の効果】
【００１２】
本発明の詰め替えセット及び容器によれば、構造が簡単で、加工コストも安価なものでありながら、内容物を収容したリフィル体を簡便に交換可能となる。
【図面の簡単な説明】
【００１３】
【図１】第１実施形態の詰め替えセットを用いたリフィル体の詰め替え手順を示した図である。
【図２】第１実施形態のリフィル体の斜視図、Ａ−Ａ線断面図、及びＢ−Ｂ線断面図である。
【図３】第１実施形態のリフィル蓋の斜視図、仰観図、及びＣ−Ｃ線断面図である。
【図４】第１実施形態の容器本体の斜視図、Ｄ−Ｄ線断面図、及びＥ−Ｅ線断面図である。
【図５】リフィル体が取り付けられた第１実施形態の容器本体の平面図及びＦ−Ｆ線断面図である。
【図６】リフィル体及びリフィル蓋が取り付けられた第１実施形態の容器本体の平面図及びＧ−Ｇ線断面図である。
【図７】第１実施形態のリフィル蓋の取り外し手段による固定手段の係合解除の手順を示した図である。
【図８】第２実施形態のリフィル体の斜視図、Ｋ−Ｋ線断面図、及びＬ−Ｌ線断面図である。
【図９】第２実施形態のリフィル蓋の斜視図、仰観図、及びＭ−Ｍ線断面図である。
【図１０】第２実施形態の容器本体の斜視図、Ｎ−Ｎ線断面図、及びＯ−Ｏ線断面図である。
【図１１】リフィル体が取り付けられた第２実施形態の容器本体の平面図及びＰ−Ｐ線断面図である。
【図１２】リフィル蓋によってリフィル体が取り外された第２実施形態の容器本体の平面図及びＱ−Ｑ線断面図である。
【図１３】第２実施形態のリフィル蓋に設けられた取り外し手段による固定手段の係合解除の手順を示した図である。
【図１４】第３実施形態の詰め替えセットを用いたリフィル体の詰め替え手順のうち、前半の手順を示した図である。
【図１５】第３実施形態の詰め替えセットを用いたリフィル体の詰め替え手順のうち、後半の手順を示した図である。
【図１６】第３実施形態のリフィル体の斜視図、Ｕ−Ｕ線断面図、及び底面の拡大図である。
【図１７】第３実施形態の容器蓋の斜視図、仰観図、及びＶ−Ｖ線断面図である。
【図１８】第３実施形態の容器本体の斜視図、Ｗ−Ｗ線断面図、及びＸ−Ｘ線断面図である。
【図１９】第３実施形態のリフィル蓋の斜視図及びＹ−Ｙ線断面図である。
【図２０】第３実施形態のリフィル蓋の取り外し手段による固定手段の係合解除の手順を示した図である。
【発明を実施するための形態】
【００１４】
［第１実施形態］
以下、本発明の詰め替えセット１及び詰め替えセット１によりリフィル体２の詰め替えが行われる容器３の実施形態を、図面に基づき詳しく説明する。
図１〜図７は、第１実施形態の詰め替えセット１について、この詰め替えセット１を用いた詰め替え手順や、詰め替えセット１及び容器３を構成するそれぞれの構成部材を模式的に示したものである。
【００１５】
図１を用いて、第１実施形態の詰め替えセット１を用いたリフィル体２の詰め替え手順についてまず説明する。
図１に示すように、本発明の詰め替えセット１による詰め替えが行われる容器３は、容器内に内容物を収容したリフィル体２を、着脱自在に取り付け可能となっている。例えばリフィル体２に収容された内容物を使い切った後で、使い切った使用済みのリフィル体２Ｕを新たなもの（新品リフィル体２Ｎ）に取り替える場合、第１実施形態に示すような詰め替えセット１が利用される。つまり、図１に示すリフィル体２の詰め替え手順は、容器本体４に収容された使用済みのリフィル体２Ｕを、第１実施形態の詰め替えセット１を用いて新品リフィル体２Ｎに詰め替える一連の操作手順を示すものとなっている。
【００１６】
なお、以降の説明においては、収容物を使い切り内部が空となっているリフィル体２を、「使用済みのリフィル体２Ｕ」と呼称する。また、詰め替えセット１を用いて新たに詰め替えられるリフィル体２（新しい収容物が内部に充填されたリフィル体２）を、「新品リフィル体２Ｎ」と呼称し、両者を区別して示す。さらに、使用済みのリフィル体２Ｕ及び新品リフィル体２Ｎの双方を上位概念で表現する用語として、単に「リフィル体２」と呼称する場合がある。
【００１７】
さらに、図１、図１４、図１５中で容器３を図示するに際しては、化粧品などを収容して実際に使用する容器本体４や容器蓋５を、いずれにも柄つき（図例では花菱を印刷したもの）の外観で示している。これは、高級化粧品などに代表されるように容器本体４や容器蓋５には手の込んだ装飾や印刷が行われていることが多く、詰め替えセット１で用いられる無地のリフィル蓋６などとは外観に差があることが多いためである。
【００１８】
本発明の理解を深めるため、まずは、第１実施形態の詰め替えセット１を用いて詰め替えを行う手順について最初に説明する。
詰め替えセット１を用いて詰め替えを行うに際しては、図１（ａ）に示すような新品リフィル体２Ｎが入った詰め替えセット１を用意する。この詰め替えセット１は、化粧品などの内容物を収容する新品リフィル体２Ｎと、この新品リフィル体２Ｎの上部の開口を閉塞可能とされたリフィル蓋６と、の２部材を有するものとなっている。
【００１９】
図１（ｂ）に示すように、詰め替えセット１が用意できたら、用意した詰め替えセット１からリフィル蓋６を取り外し、リフィル蓋６と新品リフィル体２Ｎとを別々に分離する。第１実施形態の場合、リフィル蓋６は新品リフィル体２Ｎに螺合して取り付けられているため、取り付け時とは逆方向にリフィル蓋６を回転させることで、リフィル蓋６を詰め替えセット１から取り外すことができる。
【００２０】
図１（ｃ）に示すように、詰め替えセット１から取り外されたリフィル蓋６は、容器本体４の使用済みのリフィル体２Ｕにも取り付け可能とされている。つまり、使用済みのリフィル体２Ｕと新品リフィル体２Ｎとは内容物の残量に違いがあるとはいえ、形状や構造は同じ規格とされているため、リフィル蓋６は新品リフィル体２Ｎだけでなく使用済みのリフィル体２Ｕに対しても取り付け可能となっている。そのため、詰め替えセット１から取り外されたリフィル蓋６を、容器本体４の内側の収容部７に収容された使用済みのリフィル体２Ｕに螺合させれば、リフィル蓋６を使用済みのリフィル体２Ｕに取り付けることができる。
【００２１】
ここで、上述した容器本体４と使用済みのリフィル体２Ｕとの間には、使用済みのリフィル体２Ｕを収容部７に固定するための固定手段８が設けられており、使用済みのリフィル体２Ｕは固定手段８を用いて収容部７（容器本体４）に固定されている。そして、第１実施形態のリフィル蓋６には、上述した固定手段８を解除して使用済みのリフィル体２Ｕを収容部７から取り外し可能とする取り外し手段９（例えば、図３を参照のこと）が設けられている。この取り外し手段９は、リフィル蓋６を容器本体４に螺合させる操作に合わせて、固定手段８の係合を解除する構成となっている。
【００２２】
それゆえ、図１（ｄ）に示すように容器本体４にリフィル蓋６を螺合させて取り付ければ、取り外し手段９により固定手段８の係合が解除されて、使用済みのリフィル体２Ｕが収容部７から取り外し可能な状態（遊離した状態）となる。
ここで、係合が解除された使用済みのリフィル体２Ｕは、収容部７から分離可能な状態（遊離した状態）となっており、収容部７から引き抜き自在となっている。
【００２３】
なお、リフィル蓋６には、使用済みのリフィル体２Ｕをリフィル蓋６に一体化する一体化手段１０も設けられている。この一体化手段１０は、第１実施形態では上述した螺合を行うための部材、すなわち後述する第１ねじ部１１と第２ねじ部１２（図３を参照のこと）により構成されている。そのため、リフィル蓋６を持ち上げれば、一体化手段１０によりリフィル蓋６に一体化された使用済みリフィル体２もリフィル蓋６と一緒に収容部７から引き抜くことが可能となる。
【００２４】
そのため、図１（ｅ）に示すように、第１実施形態の詰め替えセット１を用いた場合には、容器本体４から取り外された使用済みのリフィル体２Ｕを、リフィル蓋６と一緒に容器本体４から取り外して、リフィル蓋６と一緒に破棄することができる。
図１（ｆ）に示すように、使用済みのリフィル体２Ｕが取り外された容器本体４では、収容部７が空となっている状態であり、新品リフィル体２Ｎの受け入れ準備が整った状態となっている。そのため、図１（ｂ）で取り外した新品リフィル体２Ｎを収容部７に対して上方から押し込めば、上述した固定手段８を用いて収容部７（容器本体４）に新品リフィル体２Ｎを外れないように固定することが可能となる。
【００２５】
このようにして容器本体４へ固定された新品リフィル体２Ｎに対して容器蓋５を螺合により取り付ければ、図１（ｇ）に示すように、新品リフィル体２Ｎへの詰め替えが完了した容器３を得ることが可能となる。
以上までが第１実施形態の詰め替えセット１を用いた詰め替え手順である。
上述した新品リフィル体２Ｎへの詰め替えが終わった容器３では、容器蓋５が新品リフィル体２Ｎに対して螺合で取り付けられているので、例えば容器蓋５を時計回り方向に回せば容器蓋５を外して内容物を使用することが可能となり、反時計回り方向に回せば容器蓋５を閉めて新品リフィル体２Ｎの内容物を安全且つ衛生的に保管することができて、容器３を開閉自在に使用することが可能となる。
【００２６】
次に、上述した第１実施形態の詰め替えセット１を用いて詰め替えが行われる容器３について説明する。
第１実施形態の容器３は、内側にリフィル体２を収容可能とする収容部７を備えた容器本体４と、容器本体４（正確には、容器本体４に収容されたリフィル体２）に対して着脱自在に設けられた容器蓋５と、の上下２部材を組み合わせたものとなっている。
【００２７】
図４に示すように、容器本体４は、合成樹脂、金属、陶器などを用いて有底円筒状に形成されており、内部にリフィル体２を収容可能な収容部７を有している。この収容部７は、上方に向かって開口した円筒形状の空間であり、上方からリフィル体２を挿し込んで収容可能となっている。
そして、第１実施形態の容器３には、挿し込まれたリフィル体２を収容部７に固定する固定手段８が設けられている。この固定手段８は、容器本体４の上端側（収容部７の開口部）に設けられた係合突起１３と、係合突起１３に係合する係合舌部１４（後述するリフィル体２に設けられた係合舌部１４）と、で構成されている。
【００２８】
具体的には、上述した容器本体４の上端側の外周面には、径外側に向かって突出する係合突起１３と、径内側に向かって凹むと共に上下方向に延びる縦溝１８と、が周方向の異なる位置に形成されている。この係合突起１３は、上述した固定手段８を構成する部材の一つとなっている。
上述した固定手段８は、リフィル体２を上下方向に移動しないように容器本体４に固定するものである。第１実施形態の固定手段８は、上述した容器本体４の係合突起１３に、使用済みのリフィル体２Ｕや新品リフィル体２Ｎに設けられた係合舌部１４を径外側から係合させて、両部材の固定・係合を行う構成となっている。
【００２９】
係合突起１３は、上述した容器本体４の上端側の外周面において、容器本体４の中央を挟む２カ所（容器本体４の中央を基準として１８０°の角度をあけて位置する２カ所）にそれぞれ形成されている。それぞれの係合突起１３は、水平方向に沿って切断した断面が三角形状になるように径外側に向かって突出した突片である。つまり、係合突起１３は、上方から見た場合に時計回り方向を向く面（以降、案内面１９という）と、反時計回り方向を向く面（以降、支持面２０という）と、の２面を有している。上述した案内面１９は外周面に対して緩やかに傾斜すると共に連続した傾斜面であり、支持面２０は案内面１９よりも外周面に対して急角度で傾斜している。そして、係合突起１３における案内面１９の上側には、径外側に向かってせり出すように突出する庇状の係合片２１が形成されている。そのため、係合片２１の下側の案内面１９に上述した係合舌部１４を面接触状態で沿わせるように係合させると、案内面１９の上側に突出する係合片２１により係合舌部１４の上方移動が規制され、係合舌部１４が設けられたリフィル体２が係合片２１が設けられた容器本体４に対して上方移動しないように固定される。
【００３０】
一方、上述した縦溝１８は、容器本体４の上端側の外周面のうち、周方向の一部の面だけを径内側に向かって面状に凹ませた部分であり、係合突起１３と同様に容器本体４の中央を挟む２カ所にそれぞれ形成されている。この縦溝１８は、外周面の下端から上端にかけて上下方向に沿うように直線状に形成されており、後述するリフィル体２や新品リフィル体２Ｎに設けられた位置決め部２２が上下方向に移動可能に遊嵌可能とされている。このような容器本体４の縦溝１８を形成すれば、リフィル体２や新品リフィル体２Ｎを収容部７の周方向の所定位置に挿し込むことが可能となり、リフィル体２の係合舌部１４の位置を容器本体４の係合突起１３の位置に確実に合わせることが可能となり、両部材を確実に係合させることが可能となる。
【００３１】
容器蓋５は、上述した容器本体４の開口を閉鎖可能な部材である。本実施形態の容器蓋５は、後述するリフィル蓋６と殆ど同じ形状や構成を備えている。容器蓋５がリフィル蓋６と異なるのは、容器蓋５が後述する解除片２３（取り外し手段９）を有していない点である。それゆえ、本明細書では、形状が殆ど同じリフィル蓋６を示した図３を用いて容器蓋５の構成を説明するが、実際の容器蓋５には図３に表記された解除片２３は設けられていない。
【００３２】
図３に示すように、容器蓋５（図３の符号６）は、有蓋円筒状に形成された部材であり、上述した容器本体４の開口を上方から閉鎖可能となっている。
具体的には、容器蓋５は、水平方向に沿うように配備された円板状の天蓋部２４（図３の符号２９）と、天蓋部２４の外縁から下方に向かって垂下する短尺円筒状の外壁部２５（図３の符号３０）と、外壁部２５よりも径内側の天蓋部２４の下面から下方に向かって垂下すると共に外壁部２５よりもさらに短尺な円筒状とされた内壁部２６（図３の符号３１）と、を有している。天蓋部２４の外径（外壁部２５の外径）は、上述した容器本体４の外径（正確には容器本体４の下側の外径）と略等しいものとされており、内壁部２６の外径はリフィル体２の外径と略等しく形成されている。
【００３３】
そして、内壁部２６の内周面（径内側に面する面）には後述する第１ねじ部１１（リフィル体２の開口部近傍に設けられるねじ部）に螺合可能な第２ねじ部１２が形成されている。
次に、使用済みのリフィル体２Ｕを新品リフィル体２Ｎに詰め替える際に用いられる詰め替えセット１について説明する。
【００３４】
第１実施形態の詰め替えセット１は、収容部７に取り付けられている使用済みのリフィル体２Ｕを新品リフィル体２Ｎに詰め替える際に用いるものであり、収容部７に新たに詰め替えられる新品リフィル体２Ｎと、この新品リフィル体２Ｎの開口を閉塞するリフィル蓋６と、の２部材から構成されている。
図２に示すように、リフィル体２は、合成樹脂などを用いて上方に向かって開口した有底円筒状に形成されており、内側に固形または半固形の化粧料や医薬品などの内容物を収容したものである。リフィル体２には、容器本体４を構成する材料よりも安価な材料、例えばポリプロピレン、ポリエチレン、またはポリスチレンのようなエンジニアリングプラスチックなどで成形されている。
【００３５】
また、上述したリフィル体２に収容される内容物（収容物）は、上述した化粧料や医薬品などが主なものであるが、これらには限定されない。例えば、食品、家庭用雑貨、キャンプ用品、ペット用品などのいずれかの分野で用いても良い。
また、上述したように、使用済みのリフィル体２Ｕと新品リフィル体２Ｎとは、内容物の有無という点では差があるものの、容器３自体の形状や構造には差がない。
【００３６】
具体的には、上述したリフィル体２の上下方向中途側の外周面には、径外側に向かって水平に張り出すように突出し、突出した端縁（径外側の端部）からさらに下方に向かって袴状に垂れ下がったフランジ部２７が形成されている。このフランジ部２７は、リフィル体２の周囲を全周に亘って取り囲むように（上方から見た場合に環状になるように）形成されている。そして、このフランジ部２７における袴状に垂れ下がった部分には、上述した固定手段８を構成する部材の一つである係合舌部１４が形成されている。また、袴状に垂れ下がった部分で覆われたリフィル体２の外周面には、容器本体４の縦溝１８に遊嵌する位置決め部２２も形成されている。
【００３７】
さらにまた、上述したフランジ部２７よりも上側に位置するリフィル体２の外周面には第１ねじ部１１が形成されており、上述した容器蓋５やリフィル蓋６の第２ねじ部１２の螺合を可能としている。
上述した係合舌部１４は、フランジ部２７に対して、径外側から見てＬ字を横倒ししたような切り欠きを入れて形成されたものであり、上方から見た場合に円弧状となるような長尺な舌片状に形成されている。この係合舌部１４は、基端側はフランジ部２７に固定されているが、先端側はフランジ部２７から切り離されており、基端側に対して先端側が径方向に弾性変形可能とされている。
【００３８】
つまり、係合舌部１４の先端側をフランジ部２７よりも径外側まで湾曲させると、係合舌部１４の先端側に弾性的な復元力が径内側に向かって働く。この復元力により係合舌部１４の先端側は径内側に向かって押し付けられ、この押し付け力を用いて上述した係合突起１３に係合舌部１４を係合させる。
具体的には、上述した係合舌部１４は、長手方向の中途側が、係合突起１３の案内面１９に沿うように係合する。このとき、案内面１９の上側に設けられた係合片２１は係合舌部１４よりも径外側に突出しているため、係合突起１３が邪魔となって係合舌部１４は上方移動することができない。そのため、収容部７に対するリフィル体２の上方移動が規制され、収容部７にリフィル体２を上下移動しない状態で係合・固定することが可能となる。
【００３９】
一方、係合舌部１４の先端には、係合を解除する際に係合舌部１４を引っ離しやすいように、フランジ部２７の外周面よりも径外側に突出した起立片２８が形成されている。この起立片２８は、係合舌部１４の先端からさらに径外側に突出するように設けられた部材であり、その先端はフランジ部２７の外周面よりも径外側に位置している。それゆえ、上述した係合突起１３に係合された係合舌部１４を解除する際は、起立片２８を上方から見た場合に時計回り方向に向かって移動させる。そうすれば、係合舌部１４が径外側に向かって引き起こされるように揺動し、係合突起１３から係合舌部１４の先端が径外側に離れ、係合舌部１４の中途側が係合突起１３の径内側に位置するようになるので、収容部７に対するリフィル体２の上方移動が許容され、収容部７からリフィル体２を容易に上方移動させることが可能となる。
【００４０】
さらに、上述したフランジ部２７のさらに内周側に位置する（フランジ部２７で囲まれた）リフィル体２の外周面には、容器本体４に対するリフィル体２の挿し込み位置、より正確には固定手段８の係合舌部１４を所定の周方向位置に係合させるための位置決め部２２が設けられている。具体的には、この位置決め部２２は、容器本体４の縦溝１８よりも周方向に沿った幅が狭くなるようにリフィル体２の外周面に形成されており、径外側に向かって突出するように形成されていて、容器本体４に対してリフィル体２を上下方向に移動自在且つ周方向回動を規制した状態で縦溝１８に係合可能となっている。
【００４１】
なお、この位置決め部２２や縦溝１８の形状は四角形にこだわるものではなく、四角形以外の形状など（例えば円形や長円形など）であっても良い。また、本実施形態の縦溝１８の位置は容器本体４の内側でも外側でもどちらでも良い。ただし、リフィル体２も、縦溝１８に合わせた形状とする必要がある。
図３に示すように、リフィル蓋６は、容器蓋５と同様に有蓋円筒状に形成された部材であり、詰め替えセット１においては新品リフィル体２Ｎの開口を閉鎖している。具体的には、リフィル蓋６は、新品リフィル体２Ｎの開口を閉鎖するのに必要な外径をさらに超えるような外径、言い換えれば容器本体４と略等しい外径を有するものとなっている。
【００４２】
具体的には、リフィル蓋６は、水平方向に沿って配備された円板状の閉塞部２９と、閉塞部２９の外縁から下方に向かって垂下するリフィル外壁部３０と、リフィル外壁部３０よりもさらに内周側の閉塞部２９の下面から下方に向かって垂下するリフィル内壁部３１と、を有している。
また、上述したリフィル蓋６には、固定手段８により容器本体４に対して固定されたリフィル体２を、固定状態から取り外し可能な状態に切り替える取り外し手段９と、遊離状態に切り替えられたリフィル体２をリフィル蓋６に一体化させる一体化手段１０と、が設けられている。そして、閉塞部２９、取り外し手段９、及び一体化手段１０の３つの部材がリフィル蓋６に設けられることが、本発明の詰め替えセット１の特徴となっている。
【００４３】
次に、第１実施形態の詰め替えセット１の特徴であるリフィル蓋６の閉塞部２９、取り外し手段９、及び一体化手段１０について説明する。
閉塞部２９は、容器蓋５の天蓋部２４と同様に円板状に形成されている。閉塞部２９の外径は、使用済みのリフィル体２Ｕや新品リフィル体２Ｎの外径よりも径大に形成されており、リフィル体２の開口を閉鎖することが可能となっている。そして、内壁部２６の内周面（径内側を向く面）には、リフィル体２の第１ねじ部１１に螺合可能な第２ねじ部１２が形成されている。それゆえ、第２ねじ部１２を第１ねじ部１１に螺合させれば、閉塞部２９がリフィル体２の開口を余すことなく覆うようになり、リフィル体２の内部に形成されたリフィル収容部４４が閉塞されるようになる。
【００４４】
図３の仰観図や断面図に示されるように、取り外し手段９は、係合突起１３に対する係合舌部１４の係合を解除可能な部材であり、本発明ではリフィル蓋６に形成された解除片２３が取り外し手段９を構成している。
図５に示す容器本体４及びリフィル体２に対してリフィル蓋６を取り付ける場合は、図６、図７に示すような手順で操作を行う。
【００４５】
すなわち、図６に示すように、第１実施形態の解除片２３は、リフィル外壁部３０の内周面から径内側に向かって突出しており、その突端は上述した係合舌部１４の起立片２８よりも径内側に位置している。
そのため、図７に示すように、リフィル体２に対してリフィル蓋６を所定の回動位置まで回動させると、上述した解除片２３が起立片２８に当接し、起立片２８を径外側（解除方向）に押し上げるため、固定手段８による固定（係合舌部１４による係合突起１３への係合）が解除される。
【００４６】
このようにして解除片２３により固定が解除されたリフィル体２は、容器本体４の収容部７から分離可能とされているため、上方に移動させることが可能となり、収容部７から取り外すことが可能となる。
なお、本実施形態では解除片２３は、リフィル外壁部３０の内周面から径内側に向かって突出するものを挙げているが、閉塞部２９の下面から下方に伸びるようなものを採用しても良い。
【００４７】
一体化手段１０は、上述した解除片２３（取り外し手段９）により係合が解除され遊離状態に切り替えられたリフィル体２を、リフィル蓋６と共に収容部７から引き抜くために、リフィル体２をリフィル蓋６に一体化させるものである。
具体的には、第１実施形態の詰め替えセット１に用いられている一体化手段１０は、リフィル体２に対してリフィル蓋６を螺合で一体化させるものとなっている。つまり、第１実施形態の一体化手段１０は、リフィル体２の外周面の上端側に形成された第１ねじ部１１と、リフィル蓋６のリフィル外壁部３０の内周面に形成されると共に、第１ねじ部１１に螺合可能な第２ねじ部１２と、の２部材から構成されている。
【００４８】
つまり、上述した一体化手段１０を用いて係合を解除する場合には、リフィル蓋６を容器本体４に対して回動させる。そうすると、固定手段８の解除動作に合わせて、リフィル体２の上端側の外周面に形成された第１ねじ部１１に、リフィル蓋６のリフィル内壁部３１の内周面に形成された第２ねじ部１２が螺合し、リフィル体２をリフィル蓋６に一体化させることが可能となり、リフィル体２をリフィル蓋６と共に収容部７から引き抜くことが可能となる。
【００４９】
上述した第１実施形態の詰め替えセット１を用いれば、内容物を保護するために用いる新品リフィル体２Ｎのリフィル蓋６を、固定手段８を解除する機能、使用済みのリフィル体２Ｕを容器本体４から取り外す機能、さらには取り外した使用済みのリフィル体２Ｕを容器３外に持ち出す機能で用いることができ、リフィル蓋６が複数の機能を兼備することになるため、部品数が減り、加工コストも低く抑えることが可能となるし、構造も簡単なものとなる。そのため、構造が簡単で、加工コストも安価なものでありながら、内容物を収容したリフィル体２を簡便に交換可能な詰め替えセット１を得ることが可能となる。
［第２実施形態］
次に、第２実施形態の詰め替えセット１について、図面を用いて説明する。
【００５０】
上述した第１実施形態では、径外側に向かって突出した容器本体４の係合突起１３に対して、リフィル体２の係合舌部１４を径外側から係合させ、径外側に突出した係合片２１に係合舌部１４を引っ掛けることで、リフィル体２が容器本体４の収容部７に固定されていた。しかし、第２実施形態の詰め替えセット１では、係合突起１３は容器本体４から径内側に突出しており、径内側に突出する係合突起１３に対して径内側に位置する係合舌部１４を引っ掛けて係合させる構成となっている。
【００５１】
また、第２実施形態の詰め替えセット１では、係合方向の違いから解除片２３を作用させる方向も異なっており、解除片２３で係合舌部１４の係合を解除する際には、係合舌部１４を径外側ではなく径内側に押し戻し、係合舌部１４の係合を解除するものとなっている。
次に、第２実施形態の詰め替えセット１を構成する各部材について説明する。
【００５２】
まず、第２実施形態の容器３を構成する容器本体４について説明する。
図１０に示すように、第２実施形態の容器本体４は、第１実施形態と同様に、合成樹脂や金属などを用いて有底円筒状に形成されており、内部に使用済みのリフィル体２Ｕや新品リフィル体２Ｎを収容可能な収容部７を有している。第２実施形態の容器本体４は、係合方向の違いから上端の構造、言い換えれば収容部７の開口縁の構造が異なっている。
【００５３】
そして、上述した容器本体４の上端側には、上端面から下方に向かって切り込まれた第１スリット３３と第２スリット３４とが形成されている。
上述した第１スリット３３は、係合舌部１４の先端に形成された起立片２８を、径外側から径内側に向かって挿し込み可能なものである。第１スリット３３は、容器本体４の上端における容器本体４の中央を挟む２カ所（容器本体４の中央を基準として１８０°の角度をあけて位置する２カ所）に、上方に向かって開口する略Ｕ字状の溝として形成されている。
【００５４】
この第１スリット３３の周方向に沿った開口幅は、後述する係合舌部１４の起立片２８の幅とほぼ等しい寸法に形成されており、起立片２８を挿入可能な寸法となっている。また、第１スリット３３の径方向に沿った厚みは、起立片２８の径方向に沿った厚みよりも短い寸法とされており、起立片２８を径方向に貫通可能とされている。そして、第１スリット３３の上下方向の深さは、起立片２８の上下方向の厚みよりも深くなるように形成されており、第１スリット３３に挿し込まれた状態で起立片２８が上下方向に移動可能となるような寸法に形成されている。
【００５５】
第２スリット３４は、第１スリット３３と同様に容器本体４の上端における容器本体４の中央を挟む２カ所に形成されている。第２スリット３４は、上述した第１スリット３３に対して、容器本体４の中央を基準として９０°の角度をあけた位置に設けられており、容器本体４の中心回りに第１スリット３３と第２スリット３４とが９０°毎に交互に配備されるようになっている。なお、本実施形態では、容器本体４の中心回りに第１スリット３３と第２スリット３４とが９０°毎に交互に配備されているが、第１スリット３３と第２スリット３４との配備は９０°毎でなくても良い。例えば、４５°、６０°、１８０°のような９０°以外の角度でも良い。
【００５６】
さらに、第１スリット３３の径内側の開口縁には、係合舌部１４と係合して係合舌部１４の上方移動を規制する係合突起１３が形成されている。この第２実施形態の係合突起１３は、上方から見た場合に、第１スリット３３に対して時計回り方向に隣接する容器本体４の内周面に、第１実施形態とは異なり径内側に向かって突出するように形成されている。
【００５７】
具体的には、この係合突起１３は、容器本体４の上端側の内周面からさらに径内側に向かってわずかに突出しており、係合舌部１４の長手方向の中途側を引っ掛けることで、リフィル体２の上方移動を規制する構成となっている。また、第２実施形態の係合突起１３は、第１実施形態とは異なりくさび状でなくても良く、径内側に突出していればよい。
図８に示すように、第２実施形態のリフィル体２は、第１実施形態と同様に上方に向かって開口した有底円筒状に形成されており、内側には内容物を収容可能となっている。具体的には、第２実施形態のリフィル体２の上下方向中途側の外周面には、径外側に向かって張り出すように水平方向に突出すると共に、下方に向かって袴状に垂れ下がったフランジ部２７が形成されている。
【００５８】
ここで、第２実施形態のリフィル体２は、フランジ部２７の構成（形状）が第１実施形態と異なっている。すなわち、第２実施形態のリフィル体２に設けられるフランジ部２７は、リフィル体２の周囲を全周に亘って取り囲むように水平に伸びる円環状の板部材と、袴状に垂れ下がった部分とを備えているが、板部材と袴状の部分との組み合わせ位置が異なっている。つまり、第２実施形態は、第１実施形態と異なり、板部材の径方向略中央に袴状の部分が連結している。
【００５９】
具体的には、第２実施形態のフランジ部２７は、リフィル体２の中央を基準として１８０°の角度をあけた位置に位置決め部２２を有している。この位置決め部２２は、第１実施形態のものと同様に径外側に向かって突出するように形成されており、上述した第２スリット３４に挿し込まれることで、上下方向への移動を許容しつつ周方向に移動を規制可能とされており、リフィル体２を容器本体４の所定の周方向位置に位置合わせ可能とされている。
【００６０】
一方、上述した位置決め部２２の取り付け位置に対して、リフィル体２の中央を基準として９０°の角度をあけた位置のフランジ部２７には、上述した第１スリット３３に挿し込み可能とされた起立片２８が形成されている。
この起立片２８は、容器本体４に対して径方向に交差するように伸びる角状の部材であり、径内側から径外側に向かって第１スリット３３を径方向に貫通可能とされている。また、起立片２８は、上述した第１スリット３３の径方向に沿った厚みの３倍程度の厚みを有しており、第１スリット３３に挿し込まれた状態でも、突端から１／３程度の部分が容器本体４の外周面から径外側に向かって突出するようになっている。つまり、容器本体４の外周面から径外側に突出した部分を径内側に押し返すことで、係合舌部１４の長手方向の中途側が係合突起１３から径内側に離れ、リフィル体２と容器本体４との係合（固定手段８による固定）が解除されるようになっている。
【００６１】
係合舌部１４は、上述した位置決め部２２に基端側が連結され、先端が起立片２８に連結された長尺な部材である。係合舌部１４は、リフィル体２の外周面に沿うように略円弧状に湾曲形成されている。具体的には、係合舌部１４は、上方から見た場合に、位置決め部２２と、この位置決め部２２の反時計回り方向に隣り合った起立片２８との間を結ぶように形成されている。また、係合舌部１４は、基端側から先端側に向かうにつれて少しずつ径外側に近づくように形成されており、リフィル体２の中心を曲率中心とする円弧からややひずんだ形状とされている。
【００６２】
このようにややひずんだ円弧状に係合舌部１４を形成すれば、起立片２８の近傍において係合舌部１４を容器本体４の内周面に押し付けることが可能となり、係合舌部１４の長手方向の中途側を係合突起１３に確実に係合させることが可能となる。
また、係合舌部１４は、基端側に対して先端側が上下方向に半分程度の厚みになるような細首状に形成されている。具体的には、基端側の係合舌部１４の上下方向長さに対して、先端側の係合舌部１４は基端側の上下方向長さのうち、上半分を取り除いて、下半分のみを残したような形状とされている。このように係合舌部１４の先端側を細首状に形成すれば、係合舌部１４の先端側が弾性変形を起こしやすくなり、係合舌部１４の長手方向の中途側を係合突起１３に確実に係合させることが可能となる。
【００６３】
図９に示すように、第２実施形態のリフィル蓋６は、第１実施形態と同様に有蓋円筒状に形成された部材である。具体的には、第２実施形態のリフィル蓋６も容器蓋５と同様に有蓋円筒状に形成された部材であり、リフィル蓋６の外径は容器本体４の外径と略等しいものとなっている。そして、リフィル蓋６は、水平方向に沿って配備された円板状の閉塞部２９と、閉塞部２９の外縁から下方に向かって垂下する短尺円筒状のリフィル外壁部３０と、リフィル外壁部３０よりもさらに内周側の閉塞部２９の下面から下方に向かって垂下すると共にリフィル外壁部３０よりも短い短尺円筒状に形成されたリフィル内壁部３１と、を有している。
【００６４】
そして、第２実施形態のリフィル蓋６も、第１実施形態と同様に閉塞部２９、取り外し手段９、及び一体化手段１０を有している。
閉塞部２９は、容器蓋５の天蓋部２４と同様に、使用済みのリフィル体２Ｕや新品リフィル体２Ｎの外径よりも径大な円板状に形成されている。また、リフィル内壁部３１の上下方向の長さはリフィル外壁部３０の半分程度とされており、内壁部２６の内周面には第２ねじ部１２が形成されている。それゆえ、第２ねじ部１２を第１ねじ部１１に螺合させれば、閉塞部２９でリフィル体２の開口を覆うことができる。
【００６５】
第２実施形態の取り外し手段９は、第１実施形態と同様に係合突起１３に対する係合舌部１４の係合を解除可能な部材であり、リフィル体２のリフィル外壁部３０の内周面に形成される解除片２３から構成されている。
図１２や図１３に詳しく示すように、この解除片２３は、リフィル外壁部３０の内周面から径内側に向かって突出する部分である。解除片２３は、上端から下端までの外壁部２５の全長に亘って形成されている。また、この解除片２３は、水平方向に切断した場合の断面が、台形形状となるように形成されている。それゆえ、リフィル体２に対してリフィル蓋６を所定の回動位置まで回動させると、上述した解除片２３がリフィル蓋６の回動に合わせて起立片２８の位置まで移動し、起立片２８を径内側（解除方向）に押し返すため、係合舌部１４が径内側に移動して係合突起１３から外れ、固定手段８による固定が解除される。
【００６６】
なお、上述したように解除片２３を断面台形形状に形成すれば、広く形成された解除片２３の突端で、径外側に飛び出た起立片２８の突端を確実に押し戻すことが可能となる。
このようにして解除片２３により固定が解除されたリフィル体２は、容器本体４の収容部７から分離されているため、上方に移動させることが可能となり、収容部７から取り外すことが可能となる。
【００６７】
第２実施形態の一体化手段１０も、第１実施形態と同様に上述した解除片２３（取り外し手段９）により係合が解除され遊離状態に切り替えられたリフィル体２を、リフィル蓋６と共に収容部７から引き抜くために、リフィル体２をリフィル蓋６に一体化させるものである。第２実施形態の詰め替えセット１に用いられている一体化手段１０も、リフィル体２に対してリフィル蓋６を螺合で一体化させるものとなっており、第１実施形態と変わるところがない。そのため、詳しい説明は割愛する。
【００６８】
上述した第２実施形態の詰め替えセット１を用いた詰め替え手順は、係合舌部１４の係合方向が第１実施形態とは異なるため、以下のような手順で詰め替えが行われる。
図示はしないものの、まず、径内側に弾性変形させられた状態から、反発力を用いて係合舌部１４を径外側に向けてリフィル体２の係合突起１３に近づける。そうすると、係合舌部１４の長手方向の中途側が、容器本体４の内周面に沿うように湾曲し、係合舌部１４が径内側に突出した係合突起１３に引っ掛かる位置になるので、係合舌部１４の上方に向かっての移動が係合突起１３により規制されるようになり、収容部７にリフィル体２が上下移動しない状態で係合され固定される。
【００６９】
一方、係合舌部１４の先端には起立片２８が設けられている。この起立片２８は、第１スリット３３を貫通しており、容器本体４の外周面から径外側に突端が飛び出た状態となっている。
ここで、上述した係合舌部１４を係合突起１３から解除する際は、起立片２８が上方から見た場合に時計回り方向に向かって移動するように、リフィル蓋６を容器本体４に対して回動させる。そうすると、起立片２８の突端に解除片２３が接触し、起立片２８が径内側に押し戻されるため、係合舌部１４を係合突起１３から径内側に離すことが可能となり、収容部７に対するリフィル体２の上方移動が可能となるため、収容部７からリフィル体２を容易に上方に取り出すことが可能となる。
【００７０】
上述した第２実施形態の詰め替えセット１を用いれば、内容物を保護するために用いる新品リフィル体２Ｎ用の蓋を、固定手段８を解除する機能や使用済みのリフィル体２Ｕを容器本体４から取り外す機能で用いることができ、リフィル蓋６が複数の機能を兼備することになるため、部品数が減り、加工コストも低く抑えることが可能となるし、構造も簡単なものとなる。そのため、構造が簡単で、加工コストも安価なものでありながら、内容物を収容したリフィル体２を簡便に交換可能となる。
［第３実施形態］
次に、第３実施形態の詰め替えセット１について、図面を用いて説明する。
【００７１】
第３実施形態の詰め替えセット１は、リフィル体２を容器本体４に固定する固定手段８が上述した第１実施形態や第２実施形態と異なった構造となっており、そのためリフィル体２を詰め替える詰め替え手順もこれらの実施形態とは大きく異なったものとなっている。
本発明の理解を深めるため、第３実施形態に関しても、第１実施形態と同様に詰め替えセット１を用いて詰め替えを行う手順について最初に説明する。
【００７２】
図１４及び図１５に示すように、第３実施形態の詰め替え手順は、詰め替えセット１を用いて、使用済みのリフィル体２Ｕを容器本体４から取り外すものとなっている。そして、このように使用済みのリフィル体２Ｕが取り外された後の容器本体４に対して、詰め替えセット１の新品リフィル体２Ｎを取り付け、使用済みのリフィル体２Ｕに螺合していた容器蓋５を取り外し、取り外した容器蓋５を容器本体４の新品リフィル体２Ｎに取り付ける。上述したような手順に従って新品リフィル体２Ｎが換装された容器３を得るものが、第３実施形態の大まかな詰め替え手順である。
【００７３】
より詳しくそれぞれの手順を説明すると、以下のようになる。
すなわち、図１４（ａ）に示すように、第３実施形態の詰め替えセット１を用いて詰め替えを行うに際しては、第１実施形態と同様に新品リフィル体２Ｎが入った詰め替えセット１を用意する。この詰め替えセット１は、図１４（ａ）において下側に図示された部材であり、他の実施形態と同様に合成樹脂で有底円筒状に形成された内部に内容物を収容する新品リフィル体２Ｎと、この新品リフィル体２Ｎの上部の開口を閉塞可能とされたリフィル蓋６と、の２つの部材を有するものとなっている。
【００７４】
図１４（ｂ）に示すように、詰め替えセット１が用意できたら、用意した詰め替えセット１をそのまま（リフィル蓋６をつけたまま）利用して、容器本体４から使用済みのリフィル体２Ｕを取り外す。なお、第１実施形態や第２実施形態では、詰め替えセット１からリフィル蓋６のみを取り外してリフィル蓋６を螺合させることにより取り外し手段９を動作させていたが、第３実施形態では取り外し手段９を動作させるに当たってリフィル蓋６を取り外す必要はない。というのも、第３実施形態ではリフィル蓋６の螺合動作に合わせて取り外し手段９の解除片２３が作用するのではなく、リフィル蓋６の上面から上方に突出した取り外し手段９の解除片２３を容器本体４の係合孔３５に下方から押し込んだ後で回動させて使用済みのリフィル体２Ｕの取り外しが行われる。そのため、第３実施形態では、リフィル蓋６が取り付けられた詰め替えセット１をそのまま用いて、使用済みのリフィル体２Ｕの取り外しが行われる。
【００７５】
具体的には、図１４（ｂ）に示す容器本体４の内部では、第３実施形態の容器本体４の底面に、容器本体４の底部を上下に貫通する係合孔３５が形成されている。この係合孔３５には、リフィル体２の係合舌部１４が係合孔３５の上方から挿し込まれた状態で係合されている。このような係合孔３５に、上述した解除片２３を下方から挿し込むと、先に係合していた係合舌部１４の係合が解除され、容器本体４から使用済みのリフィル体２Ｕが分離可能となる。また、容器本体４から分離された使用済みのリフィル体２Ｕの底面には下方に向かって突出する被押上片４０があり、リフィル蓋６の押上突起４２が被押上片４０に当接するまで容器本体４に対して詰め替えセット１を回動させると、使用済みのリフィル体２Ｕが上方に押し上げられ、使用済みのリフィル体２Ｕが容器本体４の中で浮き上がった状態となる。なお、上述した部材の構造や動作は図１４の図面上には明示されていない。これらについては、後ほど各部材を説明するのに合わせて詳しく説明する。
【００７６】
つまり、解除片２３により係合舌部１４の係合を解除し、容器本体４に対して容器蓋５を回動させると、押上突起４２を用いて使用済みのリフィル体２Ｕが浮き上がり、容器３を上下２つに分離することが可能となる。
なお、上述した回動は、上方から見た場合に、時計回り方向が係合を行う又は固定を行う方向であり、反時計回り方向が係合又は固定を解除する方向となっている。この回動方向は、リフィル体２と容器蓋５、リフィル体２とリフィル蓋６、リフィル蓋６と容器本体４のいずれの関係においても同じである。
【００７７】
図１４（ｃ）に示すように、２つに分離した容器３は、使用済みのリフィル体２Ｕと容器蓋５とで構成された上分離体３６と、容器本体４と詰め替えセット１とで構成された下分離体３７と、の２つの部材に分離される。
次に、分離された容器３の一方、すなわち図１４中で（＊１）で示される上分離体３６についての操作手順を説明する。
【００７８】
図１５（ｄ）に示すように、上分離体３６は、使用済みのリフィル体２Ｕに容器蓋５が螺合により係合されたものとなっている。そのため、容器蓋５を取り付け時とは逆方向に回動させると、上分離体３６から容器蓋５を取り外すことができる。
図１５（ｅ）に示すように、上分離体３６から容器蓋５を取り外すと、使用済みのリフィル体２Ｕだけが残る。この残った使用済みのリフィル体２Ｕは、内容物を使い切っているので適宜破棄すればよい。また、取り外した容器蓋５は、後述する図１５（ｊ）に示される手順で、詰め替えが終わった容器本体４に螺合されて容器３として再び使用される。
【００７９】
また、分離された容器３のもう一方、すなわち図１４中で（＊２）で示される下分離体３７についての操作手順を説明する。
図１５（ｆ）に示すように、下分離体３７は、収容部７から使用済みのリフィル体２Ｕが取り除かれた容器本体４と詰め替えセット１とで構成されており、容器本体４の底面の係合孔３５には詰め替えセット１の解除片２３が挿し入れられた状態で残されている。ただ、この解除片２３は係合孔３５に挿し入れられているのみであるため、詰め替えセット１を下方に引き抜けば、容器本体４から詰め替えセット１を容易に分離することができる。
【００８０】
図１５（ｇ）に示すように、容器本体４から分離された詰め替えセット１には新品リフィルが含まれている。そのため、次に、詰め替えセット１を容器本体４の収容部７の上方に移動させ、上方から詰め替えセット１を下方に向けて挿し込んで、新品リフィル体２Ｎをリフィル蓋６ごと容器本体４の収容部７に装着する。
具体的には、図１５（ｈ）に示すように、容器本体４の収容部７に、詰め替えセット１を新品リフィル体２Ｎが下方となるように上方から挿し込む。第３実施形態のリフィル体２の底部には、上述した係合舌部１４が下方に向かって突出するように設けられており、容器本体４の底部には最初にあった係合舌部１４や解除片２３が抜き取られて空となった状態で係合孔３５が存在している。そのため、係合舌部１４を係合孔３５に上方から挿し込むと、容器本体４の収容部７に新品リフィル体２Ｎをリフィル蓋６と一緒に装着（固定）することができる。
【００８１】
すなわち、第３実施形態の詰め替えセット１では、リフィル体２の係合舌部１４と、この係合舌部１４と係合すると共に容器本体４の底部に形成された係合孔３５とが、容器本体４にリフィル体２を固定する固定手段８を構成している。また、第３実施形態では、上述したリフィル蓋６の上面に設けられた解除片２３が、固定手段８を取り外す取り外し手段９とされている。
【００８２】
図１５（ｈ）に示すように、容器本体４に固定手段８により詰め替えセット１が固定されたら、図１５（ｉ）に示すように、詰め替えセット１からリフィル蓋６のみを取り外す。具体的には、第３実施形態でも、リフィル蓋６はリフィル体２に螺合で取り付けられている。そのため、取り付け時とは逆方向（上方視で反時計方向）にリフィル蓋６を回動させれば、詰め替えセット１からリフィル蓋６のみを取り外すことが可能となる。このようにして取り外されたリフィル蓋６は、上述した使用済みのリフィル体２Ｕと同様に適宜破棄される。
【００８３】
一方、詰め替えセット１からリフィル蓋６を取り外すことで、容器本体４に残った新品リフィル体２Ｎに対しては、上述した（＊１）で示される上分離体３６から分離された容器蓋５を取り付けることができる。このようにして容器蓋５を容器本体４に取り付けることで、図１５（ｊ）に示すような容器３が得られる。
以上が、第３実施形態の詰め替えセット１を用いた、リフィル体２の詰め替え手順である。
【００８４】
次に、第３実施形態の詰め替えセット１について、図面を用いて説明する。
第３実施形態の詰め替えセット１も、第１実施形態や第２実施形態と同様に、新品リフィル体２Ｎとリフィル蓋６との２部材から構成されている。
しかし、第１実施形態や第２実施形態では、径外側や径内側に突出した係合突起１３に対して、リフィル体２の係合舌部１４を径方向に係合させ、リフィル体２を容器本体４の収容部７に固定していた。しかし、第３実施形態の詰め替えセット１では、容器本体４に係合突起１３が設けられておらず、その代わりに係合孔３５が形成されている。そして、この容器本体４の係合孔３５に、係合舌部１４を下方に向かって挿し入れることで、容器本体４にリフィル体２を係合させる（固定させる）構成となっている。
【００８５】
次に、第３実施形態の詰め替えセット１を構成する各部材について説明する。
まず、第３実施形態の容器３を構成する容器本体４について説明する。
図１８に示すように、第３実施形態の容器本体４は、第１実施形態や第２実施形態と同様に、合成樹脂や金属などを用いて有底円筒状に形成されており、内部に使用済みのリフィル体２Ｕや新品リフィル体２Ｎを収容可能な収容部７を有している。第３実施形態の容器本体４は、係合方向の違いから底側や外周側の構造が他の実施形態と異なっている。
【００８６】
すなわち、第３実施形態の容器本体４では、リフィル体２の係合舌部１４と係合孔３５とを上下方向に沿って相対的に移動させることで係合や解除が行われる。そのため、第１実施形態や第２実施形態のようにリフィル体２を固定するための構造が容器本体４の外周側に全く設けられておらず、外周側は単純な形状に形成されるものとなっている。
具体的には、容器本体４の上端は、上方から見た場合に円環状の平面に形成されており、径内側の隅が径外側より１段低くなるように段付け加工がされていて、段が付けられた部分にリフィル体２の下端を嵌め入れることで、リフィル体２を密閉状態で取り付けることができるようになっている。
【００８７】
また、容器本体４の内周面、言い換えれば収容部７の外周面には、周面の一部を径外側に向かって凹ませた位置決め凹部３８が形成されている。この位置決め凹部３８は、第１実施形態の縦溝１８と同様に容器本体４の中央を挟む２カ所にそれぞれ形成されており、リフィル体２の外周面に形成された位置決め部２２と上下方向に移動可能に遊嵌可能とされている。このような容器本体４の位置決め凹部３８にリフィル体２の位置決め部２２を遊嵌させれば、リフィル体２や新品リフィル体２Ｎを収容部７の周方向の所定位置に挿し込むことが可能となり、リフィル体２の係合舌部１４を容器本体４の係合孔３５に確実に挿し込んで係合させることが可能となる。
【００８８】
係合孔３５は、容器本体４の底部に、底部を上下方向に貫通するように形成された孔であり、後述する係合舌部１４と解除片２３との双方の挿し込みを可能とするように上下双方に開口する状態に形成されている。係合孔３５は、容器本体４の底部に水平方向に伸びるように形成される長穴であり、上方から見た場合に容器本体４の中心を回転中心として円弧状を描くような形状に形成されている。
【００８９】
係合孔３５を径方向に沿って横切る開口幅（長穴の短幅）は、後述する係合舌部１４を上下方向に沿って容易に挿入できる寸法の円弧状に形成されている。
係合孔３５の上側の開口縁には、庇状に張り出た係合片２１が形成されている。
この係合片２１は、係合孔３５の外周側の孔縁から孔中央側（内周側）に向かって庇状に張り出た部分である。図１８の「Ｗ−Ｗ線断面図」に示されるように、係合片２１は、下方に向かうにつれて径外側にせり出すような断面形状上面が下方に向かうにつれて開口幅が狭くなるように傾斜している。
【００９０】
また、係合片２１は、係合孔３５の長手方向の位置によって張り出し幅が変化するように形成されている。
さらに、上述した係合孔３５のさらに内周側には、係合舌部１４の係合が解除されたリフィル体２を、上方に押し上げるための押上孔３９が形成されている。
この押上孔３９は、上方から見た場合に、係合孔３５と同じように円弧状に形成された長穴であり、係合孔３５の内周側に位置する容器本体４の底部に、係合孔３５に並ぶように形成されている。本実施形態の押上孔３９は、係合孔３５と同じ中心角を備えて円弧状に形成されている。
【００９１】
一方、図１７に示すように、容器蓋５は、第１実施形態や第２実施形態と同様に、上下方向に短尺な有蓋円筒状に形成されている。この第３実施形態の容器蓋５は、容器本体４と同様な単純な構造となっており、内周面には第１実施形態や第２実施形態のものと同様に螺旋状にねじれた第１ねじ部１１が形成された構造となっている。
次に、第３実施形態の詰め替えセット１について説明する。
【００９２】
第３実施形態の詰め替えセット１は、第１実施形態や第２実施形態と同様に、収容部７に取り付けられている使用済みのリフィル体２Ｕを新品リフィル体２Ｎに詰め替える際に用いるものであり、収容部７に新たに詰め替えられる新品リフィル体２Ｎと、この新品リフィル体２Ｎの開口を閉塞するリフィル蓋６と、の２部材を組み合わせたものとなっている。
【００９３】
図１６に示すように、第３実施形態のリフィル体２は、第１実施形態や第２実施形態と同様に、合成樹脂などを用いて有底円筒状に形成された内側に、固形または半固形の内容物を収容したものであり、材質や内容物は他の実施形態と同じである。
第３実施形態のリフィル体２が第１実施形態や第２実施形態と異なっているのは、外周側及び底側の構造である。すなわち、第３実施形態では、上述した係合舌部１４は容器本体４の底面に下方に向かって突出するように形成されており、リフィル体２の外周側には係合舌部１４は形成されていない。
【００９４】
なお、第３実施形態のリフィル体２の外周側には、径外側に若干張り出す程度のフランジ部２７が形成されている。このフランジ部２７を容器本体４の段付け加工された部分に嵌め込むことで、リフィル体２は容器本体４の収容部７に密閉状態で装着可能とされている。また、リフィル体２は、フランジ部２７の下側に、容器本体４の位置決め凹部３８に遊嵌可能な位置決め部２２を有しており、リフィル体２の係合舌部１４の位置を容器本体４の係合孔３５の位置に正確に合わせて両部材の係合を確実に行うことが可能としている。
【００９５】
さらに、上述したフランジ部２７よりも上側に位置するリフィル体２の外周面には第１ねじ部１１が形成されており、上述した容器蓋５やリフィル蓋６の第２ねじ部１２に対する螺合を可能としている。
具体的には、上述した係合舌部１４は、リフィル体２の底面から下方に向かって突出する長尺板状の部材である。係合舌部１４は、係合孔３５と同様にリフィル体２の中央を挟む２カ所に形成されており、それぞれが係合孔３５に係合するようになっている。
【００９６】
この係合舌部１４は、上方から見た場合に、リフィル体２の中心を回転中心として円弧状を描くような形状に形成されている。また、係合舌部１４は、係合孔３５と同じように、中心角が６０°〜１２０°となる円弧状、本実施形態では中心角度が９０°の円弧状に形成されている。そのため、係合舌部１４は、曲率や中心角がほぼ同じ係合孔３５に対して、支障なく挿し込むことができ、係合舌部１４を係合孔３５に対して上方から挿し入れることが可能となる。
【００９７】
また、係合舌部１４は、上方から見た場合に、反時計回り側の端部が一枚板であるのに対して、時計回り側の端部が二股状に分岐されている。そして、二股状に分岐した下側の係合舌部１４には、係合孔３５に挿入した際に上述した係合片２１に引っ掛かることで係合舌部１４の抜け止めを行う被係合片４３が形成されている。この被係合片４３は、図１６の「Ｕ−Ｕ線断面図」に示されるように、上方に向かうにつれて径外側にせり出すような断面形状を備えており、上述した係合片２１と係合することで、係合孔３５への係合舌部１４の下方移動を許容しつつ、係合孔３５からの係合舌部１４の上方移動は規制する機能を備えている。
【００９８】
つまり、上述した係合孔３５に係合舌部１４を上方から挿し込むと、係合舌部１４の先端の被係合片４３が係合孔３５の係合片２１に引っ掛かって、係合舌部１４が係合孔３５の上方に抜けなくなり、リフィル体２が容器本体４に固定される。
一方、上方から見た場合に反時計回り方向に向かって、リフィル蓋６を容器本体４に対して回動させると、係合舌部１４の先端（被係合片４３）が係合片２１の中でも張り出し幅が広い部分に位置するようになるため、係合片２１に対して係合舌部１４が引っ掛かりにくくなり、リフィル体２が容器本体４から分離可能となる。
【００９９】
また、リフィル体２の底面には、上述した係合舌部１４の内周側に、被押上片４０が形成されている。この被押上片４０は、リフィル体２の底面から下方に向かって突出する突起状の板部材である。被押上片４０も、係合舌部１４と同様に、リフィル体２の中央を挟む２カ所に形成されており、それぞれが押上孔３９に下方から挿入可能とされている。
被押上片４０は、上方から見た場合に、係合舌部１４よりは長さの短い円弧状に形成されている。また、被押上片４０の反時計回り側の端部は上下方向に沿うように起立した垂直端面であるが、時計回り側の端部には水平方向に対して傾斜した傾斜部が形成されている。
【０１００】
さらに、被押上片４０の下方に対する突出高さは、収容部７にリフィル体２を挿し込んだ際に、下端が押上孔３９を貫通して下方に抜ける程度の長さとされている。
リフィル蓋６は、上述した容器蓋５と同様に短尺な有蓋円筒形状に形成されている。リフィル蓋６の外径も、容器蓋５の外径と同様に容器本体４の外径とほぼ等しいものとされている。また、リフィル蓋６の内周面には、容器蓋５と同様に、第２ねじ部１２と同様にねじれた第１ねじ部１１が形成されている。
【０１０１】
このリフィル蓋６が容器蓋５と異なっている点は、リフィル蓋６の上面に、上方に向かって突出する解除片２３と、上述した被押上片４０を押し上げる押上片４１と、が形成されている点である。
解除片２３は、リフィル蓋６の上面から上方に向かって突出した板状の部材である。解除片２３は、上方から見た場合に、リフィル体２の中心を回転中心として円弧状を描くような形状に形成されており、係合舌部１４と同様に長さの短い円弧状に形成されている。また、解除片２３は、下方に向かっての突出高さが時計回り側の端部から反時計回り側の端部まで、等しくなるような形状に形成されている。さらに、解除片２３が設けられる位置は、上述した係合舌部１４よりもやや径外側に位置しており、係合孔３５に下方から仕込まれると、解除片２３が係合舌部１４を径内側に向かって押し戻し、上述した係合片２１と被係合片４３との係合が解除されるため、収容部７に対するリフィル体２の固定（固定手段８による固定）が解除される。
【０１０２】
押上片４１は、リフィル蓋６の上面から上方に向かって突出した短尺円筒状の部材である。押上片４１は、上方から見た場合に、上述した解除片２３よりも径内側に設けられており、リフィル体２の中心を回転中心として短尺な円筒状を描くように形成されている。そして、押上片４１の上端には、押上片４１の上面よりもさらに上方に向かって突出する押上突起４２が形成されている。
【０１０３】
この押上突起４２は、側方から見ると三角形状とされており、時計回り側と、反時計回り側とに２つの端面を有している。押上突起４２の時計回り側の端面は上下方向に沿う垂直な面とされており、また反時計回り側の端面は水平方向に対して傾斜した面とされている。
それゆえ、上述した容器本体４の押上孔３９に、リフィル蓋６の押上片４１を下方から挿し込んで、容器本体４に対してリフィル蓋６を上下方向を向く軸回りに回動させる。そうすると、押上孔３９を通って上方に伸びる押上片４１の上端、より正確には押上突起４２がリフィル体２の底面に形成された被押上片４０の下端に当接し、上述した被押上片４０の傾斜部に対して、押上突起４２の反時計回り側の端面（水平方向に対して傾斜した面）が接触し合い、両部材の間に離反方向に力が発生するので、容器本体４に対してリフィル体２を上方に押し上げることができる。
【０１０４】
つまり、第３実施形態の詰め替えセット１では、上述した係合舌部１４の被係合片４３を係合孔３５の係合片２１に引っ掛かることで、リフィル体２が収容部７に固定されることになり、係合片２１と被係合片４３とが固定手段８を構成するものとなっている。
そして、第３実施形態の詰め替えセット１では、リフィル蓋６の解除片２３が係合舌部１４を径内側に押し戻すことで、係合片２１が被係合片４３から外れやすくなっており、この解除片２３が容器本体４に対して固定されたリフィル体２を固定状態から取り外し可能な状態に切り替える取り外し手段９となっている。
【０１０５】
また、容器本体４に対してリフィル蓋６を上下方向を向く軸回りに回動させることで、リフィル蓋６の押上片４１がリフィル体２の被押上片４０を上方に向かって押し上げるものとなっている。つまり、リフィル蓋６の押上片４１と、リフィル体２の被押上片４０とが、遊離状態に切り替えられたリフィル体２をリフィル蓋６と共に収容部７から引き抜くために、リフィル体２をリフィル蓋６に一体化させる一体化手段１０を構成している。
【０１０６】
なお、今回開示された実施形態はすべての点で例示であって制限的なものではないと考えられるべきである。特に、今回開示された実施形態において、明示的に開示されていない事項、例えば、運転条件や操業条件、各種パラメータ、構成物の寸法、重量、体積などは、当業者が通常実施する範囲を逸脱するものではなく、通常の当業者であれば、容易に想定することが可能な値を採用している。
【０１０７】
上述した実施形態では、固定手段８として周方向に沿ったものを挙げた。しかし、固定手段８は、上下方向（縦方向）に沿ったものであっても良い。例えば、係合舌部１４を上下方向に沿って伸びるように形成しておき、この係合舌部１４を係合突起１３に係脱自在に係合させるような固定手段８を採用しても良い。
なお、上述した実施形態では、固定手段８を解除するのに、リフィル蓋６を用いていた。しかし、本発明のリフィル体２は、使用者の手で固定手段８による固定を解除しても良い。
【０１０８】
すなわち、本発明の容器３は、内側が収容部７とされた容器本体４と、容器本体４に設けられた固定手段８により容器本体４の収容部７に着脱自在に固定されるリフィル体２と、を有する容器３に対して、使用済みのリフィル体２Ｕを新品リフィル体２Ｎに詰め替えるに際しては、固定手段８を、使用者の手で解除可能となるように構成しておく。そうすれば、固定手段８が使用者の手で随時係脱可能となる。
【符号の説明】
【０１０９】
１  詰め替えセット
２  リフィル体
２Ｎ  新品リフィル体
２Ｕ  使い切った使用済みのリフィル体
３  容器
４  容器本体
５  容器蓋
６  リフィル蓋
７  収容部
８  固定手段
９  取り外し手段
１０  一体化手段
１１  第１ねじ部
１２  第２ねじ部
１３  係合突起
１４  係合舌部
１８  縦溝
１９  案内面
２０  支持面
２１  係合片
２２  位置決め部
２３  解除片
２４  天蓋部
２５  外壁部
２６  内壁部
２７  フランジ部
２８  起立片
２９  閉塞部
３０  リフィル外壁部
３１  リフィル内壁部
３３  第１スリット
３４  第２スリット
３５  係合孔
３６  上分離体
３７  下分離体
３８  位置決め凹部
３９  押上孔
４０  被押上片
４１  押上片
４２  押上突起
４３  被係合片
４４  リフィル収容部
【図１】
2019189327.tif 000003
【図２】
2019189327.tif 000004
【図３】
2019189327.tif 000005
【図４】
2019189327.tif 000006
【図５】
2019189327.tif 000007
【図６】
2019189327.tif 000008
【図７】
2019189327.tif 000009
【図８】
2019189327.tif 000010
【図９】
2019189327.tif 000011
【図１０】
2019189327.tif 000012
【図１１】
2019189327.tif 000013
【図１２】
2019189327.tif 000014
【図１３】
2019189327.tif 000015
【図１４】
2019189327.tif 000016
【図１５】
2019189327.tif 000017
【図１６】
2019189327.tif 000018
【図１７】
2019189327.tif 000019
【図１８】
2019189327.tif 000020
【図１９】
2019189327.tif 000021
【図２０】
2019189327.tif 000022